(57)【要約】【課題】  エアターンバーからの流出空気の影響でパネル部材等に異物が付着することを防止する機構を有する貼合装置を提供する。【解決手段】  貼合装置は、光学フィルム搬送ラインと、パネル部材搬送ラインと、光学フィルムの搬送方向を転換するためのエアターンバーと、エアターンバーからの流出空気の流れを制御する遮へい部材とを備える。エアターンバーは、搬送面から噴射される空気によって光学フィルムを搬送面から浮かせながら搬送方向を転換する。エアターンバーと該エアターンバーによって搬送方向が転換されている光学フィルムとの間からは空気が流出し、遮へい部材は、この流出空気が貼合装置内の気流を乱さないように流出空気の流れを制御する。【選択図】  図２
2019214131.tif 000002
【特許請求の範囲】
【請求項１】
パネル部材の少なくとも一方の面に光学フィルムのシートを貼り合わせるための貼合装置であって、
光学フィルムを搬送する光学フィルム搬送ラインと、
パネル部材を搬送するパネル部材搬送ラインと、
前記光学フィルム搬送ラインの途中に配置され、搬送面から噴射される空気によって光学フィルムを前記搬送面から浮かせながら光学フィルムの搬送方向を転換するためのエアターンバーと、
前記エアターンバーと該エアターンバーによって搬送方向が転換されている光学フィルムとの間から流出した流出空気が前記貼合装置内の気流を乱さないように流出空気の流れを制御する、遮へい部材と
を備える貼合装置。
【請求項２】
前記エアターンバーが前記パネル部材搬送ラインの上方に配置されており、前記遮へい部材は、前記エアターンバーと前記パネル部材搬送ラインとの間に配置されている、請求項１に記載の貼合装置。
【請求項３】
前記エアターンバーが前記パネル部材搬送ラインの下方に配置されており、前記遮へい部材は、前記エアターンバーと前記パネル部材搬送ラインとの間に配置されている、請求項１に記載の貼合装置。
【請求項４】
前記エアターンバーが前記パネル部材搬送ラインの高さより低い位置において前記パネル部材搬送ラインの側方に配置されており、前記遮へい部材は、前記エアターンバーの上方において前記パネル部材搬送ラインの高さより低い位置に配置されている、請求項１に記載の貼合装置。
【請求項５】
前記エアターンバーが前記パネル部材搬送ラインの高さより高い位置において前記パネル部材搬送ラインの側方に配置されており、前記遮へい部材は、前記エアターンバーの下方において前記パネル部材搬送ラインの高さより高い位置に配置されている、請求項１に記載の貼合装置。
【請求項６】
前記遮へい部材は、少なくとも前記パネル部材搬送ラインのパネル部材搬送部分の幅全体を覆うことができる幅を有する板状体である、請求項２又は請求項３に記載の貼合装置。
【請求項７】
前記エアターンバーの幅方向外方において上方から下方に向かう下降気流を生成し、該下降気流とともに流出空気が前記パネル搬送ラインの幅方向外方を下方に向かって流れるようにするための気流生成部をさらに有する、請求項１、請求項２又は請求項５のいずれか１項に記載の貼合装置。
【請求項８】
前記気流生成部は、前記エアターンバーの幅方向両端部の上方に配置され、貼合装置内部に供給される空気を清浄空気にするフィルタを備える吸気手段である、請求項７に記載の貼合装置。
【請求項９】
前記気流生成部は、前記エアターンバーの幅方向両端部の上方に配置された送風手段である、請求項７に記載の貼合装置。
【発明の詳細な説明】
【技術分野】
【０００１】
本発明は、光学的表示ユニットの製造に関し、より具体的には、エアターンバーを用いて光学フィルムの搬送方向を転換することによって狭いスペースにも設置可能となった光学フィルムの貼合装置において、エアターンバーからの空気が光学フィルムやパネル部材に与える悪影響を低減させる遮へい部材を備えた貼合装置に関する。
【背景技術】
【０００２】
近年、光学的表示ユニットの製造現場において、別の設備で予めシート状に切り出された光学フィルム積層体を搬入してパネル部材に貼り合わせる枚葉式の製造装置に替えて、ロール・トゥ・パネル方式（以下、ＲＴＰ方式という）の製造装置が採用されている。ＲＴＰ方式の製造装置においては、帯状光学フィルム積層体を繰り出し、繰り出された帯状光学フィルム積層体に装置内において切込線を入れることによりシート状の光学フィルムを形成し、シート状光学フィルムをキャリアフィルムから剥離してパネル部材に連続的に貼り合わせることができる。
【０００３】
こうしたＲＴＰ方式の製造装置として、従来、直線型の装置が採用されることが多かった。直線型の製造装置は、パネル部材の搬送経路、パネル部材の両面に貼り合わせされる光学フィルムの供給部、光学フィルムの搬送経路、切込線の形成部、パネル部材と光学フィルムシートとの貼合部などが、直線状に配置された装置である。直線型の装置では、ＲＴＰ方式以前に採用されていた枚葉式の製造装置をＲＴＰ方式の製造装置に入れ替える場合に、設置スペースの制約の問題が生じていた。
【０００４】
本出願の出願人は、この問題に対処することを主な目的として、装置全体の長さ及び幅を縮小して狭いスペースにも設置することができるようにしたコンパクトなＲＴＰ方式の製造装置（以下、コンパクトＲＴＰ装置という）を提案している（特許文献１）。コンパクトＲＴＰ装置においては、パネル部材の両面に貼り合わせされる２つの光学フィルムの搬送経路の一部が上下に重なるように構成されており、フィルム搬送経路の途中に、エアターンバーを配置することができる。エアターンバーは、外周面から噴出される空気の空気圧によって光学フィルムを浮上させながら方向を転換することができる装置である。
【０００５】
エアターンバーを用いた場合、エアターンバーの外周面から噴射される空気が、エアターンバーと搬送方向が転換されている光学フィルムとの間から流出する。エアターンバーの両端部においてその外周面と光学フィルムとの間から流出した空気は、貼合装置内の気流を乱すことになる。気流が乱れると、流出空気がパネル部材搬送ラインに直接当たり、搬送されているパネル部材や光学フィルムに異物が付着したり、貼合装置内の異物が巻き上げられ、巻き上げられた異物が搬送ラインのコンベアなどの構成部品を介して間接的にパネル部材や光学フィルムに付着したりするおそれがある。
【先行技術文献】
【特許文献】
【０００６】
【特許文献１】特許第６２８０９６６号公報
【発明の概要】
【発明が解決しようとする課題】
【０００７】
本発明は、エアターンバーの近くにパネル部材搬送ライン及び光学フィルム搬送ラインが配置された貼合装置において、エアターンバーと該エアターンバーの搬送面を走行する光学フィルムとの間から流出した空気の影響で、パネル部材搬送ライン及びそれによって搬送されるパネル部材、並びに光学フィルム搬送ライン及びそれによって搬送される光学フィルムに異物が付着することを防止することを課題とする。
【課題を解決するための手段】
【０００８】
本発明は、パネル部材の少なくとも一方の面に光学フィルムのシートを貼り合わせるための貼合装置を提供する。貼合装置は、光学フィルムを搬送する光学フィルム搬送ラインと、パネル部材を搬送するパネル部材搬送ラインと、光学フィルムの搬送方向を転換するためのエアターンバーと、エアターンバーからの流出空気の流れを制御する遮へい部材とを備える。エアターンバーは、光学フィルム搬送ラインの途中に配置され、搬送面から噴射される空気によって光学フィルムを搬送面から浮かせながら搬送方向を転換する。エアターンバーと該エアターンバーによって搬送方向が転換されている光学フィルムとの間からは空気が流出し、遮へい部材は、この流出空気が貼合装置内の気流を乱さないように流出空気の流れを制御する。
【０００９】
一実施形態において、エアターンバーがパネル部材搬送ラインの上方に配置されている場合には、遮へい部材は、エアターンバーとパネル部材搬送ラインとの間に配置されている。別の実施形態において、エアターンバーがパネル部材搬送ラインの下方に配置されている場合には、遮へい部材は、エアターンバーとパネル部材搬送ラインとの間に配置されている。これらの実施形態においては、遮へい部材は、少なくともパネル部材搬送ラインのパネル部材搬送部分の幅全体を覆うことができる幅を有する板状体であることが好ましい。さらに別の実施形態において、エアターンバーがパネル部材搬送ラインの高さより低い位置においてパネル部材搬送ラインの側方に配置されている場合には、遮へい部材は、エアターンバーの上方においてパネル部材搬送ラインの高さより低い位置に配置されている。さらに別の実施形態において、エアターンバーがパネル部材搬送ラインの高さより高い位置においてパネル部材搬送ラインの側方に配置されている場合には、遮へい部材は、エアターンバーの下方においてパネル部材搬送ラインの高さより高い位置に配置されている
【００１０】
一実施形態においては、エアターンバーがパネル部材搬送ラインの上方に配置されている場合には、貼合装置は、気流生成部をさらに有することが好ましい。気流生成部は、下降気流を生成することができる。下降気流は、エアターンバーの幅方向外方において上方から下方に向かうようになっており、その下降気流とともに流出空気がパネル搬送ラインの幅方向外方を下方に向かって流れる。気流生成部は、一実施形態においては、エアターンバーの幅方向両端部の上方に配置され、貼合装置内部に供給される空気を清浄空気にするフィルタを備える吸気手段とすることができ、別の実施形態においては、エアターンバーの幅方向両端部の上方に配置された送風手段とすることができる。
【図面の簡単な説明】
【００１１】
【図１】従来のＲＴＰ方式の貼合装置と比較して装置全体の長さ及び幅を縮小することが可能で、より狭いスペースにも設置することができる、エアターンバーを備えるコンパクトなＲＴＰ方式の貼合装置の構成例を示す概略図であり、（ａ）は平面図、（ｂ）は（ａ）に示される矢印ＢＢ方向の矢視図である。
【図２】エアターンバーを備えるコンパクトなＲＴＰ方式の貼合装置において、本発明の一実施形態による遮へい部材及び気流生成部と、その配置を示す模式図であり、（ａ）は遮へい部材及び気流生成部が設けられている部分の平面図、（ｂ）は（ａ）の部分をパネル部材の搬送方向下流側からみた正面図、（ｃ）は（ａ）の部分の側面図である。
【図３】図２に対応する部分におけるエアターンバーからの流出空気の流れを示す模式図であり、（ａ）は、遮へい部材及び気流生成部がない場合におけるエアターンバーからの流出空気の流れを、パネル部材の搬送方向下流側からみた正面図、（ｂ）はその側面図であり、（ｃ）は、遮へい部材及び気流生成部がある場合におけるエアターンバーからの流出空気の流れを、パネル部材の搬送方向下流側からみた正面図、（ｂ）はその側面図である。
【図４】エアターンバーを備えるコンパクトなＲＴＰ方式の貼合装置において、本発明の別の実施形態による遮へい部材の配置を示す模式図であり、（ａ）は当該遮へい部材がある部分の平面図、（ｂ）は（ａ）の部分をパネル部材の搬送方向下流側からみた正面図、（ｃ）は（ａ）の部分の側面図である。
【図５】図４に対応する部分におけるエアターンバーからの流出空気の流れを示す模式図であり、（ａ）は、エアターンバーからの流出空気の流れをパネル部材の搬送方向下流側からみた正面図、（ｂ）はその側面図である。
【発明を実施するための形態】
【００１２】
以下、図面を参照しながら、本発明の実施形態を詳細に説明する。
（貼合装置の構成）
図１は、従来のＲＴＰ方式の貼合装置と比較して、装置全体の長さ及び幅をさらに縮小することが可能で、より狭いスペースにも設置することができる貼合装置１の構成の一例を示す概略図である。図１（ａ）は、貼合装置１の平面図であり、図１（ｂ）は、図１（ａ）中に示される矢印ＢＢ方向の矢視図である。貼合装置１は、エアターンバー２３及びエアターンバー３３を備え、パネル部材の両面に貼り合わせされる２つの光学フィルムの搬送経路の一部が上下に重なるように構成することによって、従来の貼合装置よりコンパクトな外形を実現することができる。
【００１３】
以下、貼合装置１の構成について説明する。貼合装置１は、パネル部材Ｗを搬送するパネル部材搬送ライン１０と、パネル部材Ｗの一方の面Ｗ１（例えば、薄膜トランジスタ（ＴＦＴ）側の面）に光学フィルムＦ１のシートＳ１を貼り合わせる貼合部４０と、パネル部材Ｗの他方の面Ｗ２（例えば、カラーフィルタ（ＣＦ）側の面）に光学フィルムＦ２のシートＳ２を貼り合わせる貼合部５０とを備える。貼合装置１は、さらに、光学フィルムＦ１を供給し、貼合部４０まで搬送する光学フィルム搬送ライン２０と、光学フィルムＦ２を供給し、貼合部５０まで搬送する光学フィルム搬送ライン３０とを備える。
【００１４】
貼合装置１においては、パネル部材Ｗは、パネル部材搬送ライン１０に設けられた入口部１１から出口部１２まで直線的に搬送される。パネル部材搬送ライン１０の途中に、貼合部４０と貼合部５０とが設けられている。パネル部材Ｗの一方の面Ｗ１には、貼合部４０において、光学フィルムＦ１のシートＳ１が貼り合わせされる。光学フィルムＦ１のシートＳ１が貼り合わせされたパネル部材Ｗは、貼合部４０から出て、パネル部材搬送部１４によって搬送される。
【００１５】
貼合部４０を出たパネル部材Ｗの向きは、必要に応じて貼合部４０から貼合部５０までのいずれかの位置に設けられた旋回部１５において、９０°旋回させることができる。旋回したパネル部材Ｗは、パネル部材搬送部１６に渡される。パネル部材搬送部１６は、旋回部１５と貼合部５０とを直線的に結ぶように構成されており、パネル部材Ｗは、直線的に貼合部５０に搬送される。
【００１６】
貼合部５０においては、パネル部材Ｗの他方の面Ｗ２（すなわち、光学フィルムＦ１のシートＳ１が貼り合わせされていない面）に、光学フィルムＦ２のシートＳ２が貼り合わせされる。光学フィルムＦ２のシートＳ２が貼り合わせされたパネル部材Ｗは、貼合部５０から出て、パネル部材搬送部１７によって搬送され、出口部１２から出て行く。
【００１７】
光学フィルム搬送ライン２０は、光学フィルム積層体Ｌ１を貼合部４０まで搬送する。光学フィルム積層体Ｌ１は、キャリアフィルムＣ１上に光学フィルムＦ１が積層されたものとすることができる。光学フィルム搬送ライン２０は、光学フィルム積層体のロールＲ１から光学フィルム積層体Ｌ１を繰り出して、パネル部材搬送ライン１０に対して横方向から供給する、フィルム供給部２１を有する。フィルム供給部２１は、パネル部材搬送ライン１０の入口部１１と出口部１２とを結ぶ直線の側方に配置されている。フィルム供給部２１から繰り出された光学フィルム積層体Ｌ１は、フィルム搬送部２２と、方向転換部２３と、フィルム搬送部２４とを経由して、貼合部４０に搬送される。
【００１８】
方向転換部２３は、フィルム搬送部２２によってパネル部材搬送ライン１０に対して横方向から搬送されてくる光学フィルム積層体Ｌ１の搬送方向を、パネル部材搬送ライン１０の途中に組み込まれた貼合部４０が配置されている方向に向けて、９０°転換することができる。貼合装置１においては、方向転換部２３としてエアターンバーが用いられる。エアターンバーは、光学フィルム積層体Ｌ１の幅に対応する長さ方向を有する円筒形状又は半円筒形状の外周面を有し、方向を転換しようとする光学フィルム積層体Ｌ１に対して所定の傾斜姿勢で配置されている。空気を噴出する外周面に光学フィルム積層体Ｌ１を巻き掛け、光学フィルム積層体Ｌ１と外周面との間の空気圧によって光学フィルム積層体Ｌ１を浮上させることにより、外周面と非接触状態で光学フィルム積層体Ｌ１の搬送方向を変化させることができる。
【００１９】
方向転換部２３によって搬送方向が転換された光学フィルム積層体Ｌ１は、フィルム搬送部２４によって、貼合部４０に向けて搬送される。フィルム搬送部２４には、光学フィルムＦ１から光学フィルムのシートＳ１を形成するための切込線形成部２５が配置されることが好ましい。
【００２０】
光学フィルムのシートＳ１は、貼合部４０において、パネル部材Ｗの一方の面Ｗ１に貼り合わせされる。光学フィルム積層体Ｌ１は、方向転換部２３によって方向転換された後、貼合部４０に送られ、一方、パネル部材Ｗは、貼合部４０を挟んで光学フィルム積層体Ｌ１の搬送方向とは反対側の方向から、一方の面Ｗ１が下向きの状態で、貼合部４０に送られる。貼合部４０においては、剥離手段４１によって光学フィルム積層体Ｌ１から光学フィルムのシートＳ１が剥離される。剥離されたシートＳ１とパネル部材Ｗとは、貼合ローラ４２を用いて貼り合わせることができる。
【００２１】
光学フィルム搬送ライン３０は、光学フィルム積層体Ｌ２を貼合部５０まで搬送する。光学フィルム積層体Ｌ２は、キャリアフィルムＣ２上に、光学フィルムＦ２が積層されたものとすることができる。光学フィルム搬送ライン３０は、光学フィルム積層体のロールＲ２から光学フィルム積層体Ｌ２を繰り出して、パネル部材搬送ライン１０に対して横方向から供給する、フィルム供給部３１を有する。フィルム供給部３１は、パネル部材搬送ライン１０の入口部１１と出口部１２とを結ぶ直線の側方に配置されている。フィルム供給部３１から繰り出された光学フィルム積層体Ｌ２は、フィルム搬送部３２と、方向転換部３３と、フィルム搬送部３４とを経由して、貼合部５０に搬送される。
【００２２】
方向転換部３３は、フィルム搬送部３２によってパネル部材搬送ライン１０に対して横方向から搬送されてくる光学フィルム積層体Ｌ２の搬送方向を、パネル部材搬送ライン１０の途中に組み込まれた貼合部５０が配置されている方向に向けて、９０°転換することができる。貼合装置１においては、方向転換部２３と同様に、方向転換部３３としてエアターンバーが用いられる。エアターンバーは、光学フィルム積層体Ｌ２の幅に対応する長さ方向を有する円筒形状又は半円筒形状の外周面を有し、方向を転換しようとする光学フィルム積層体Ｌ２に対して所定の傾斜姿勢で配置されている。空気を噴出する外周面に光学フィルム積層体Ｌ２を巻き掛け、光学フィルム積層体Ｌ２と外周面との間の空気圧によって光学フィルム積層体Ｌ２を浮上させることにより、外周面と非接触の状態で光学フィルム積層体Ｌ２の搬送方向を変化させることができる。
【００２３】
方向転換部３３によって搬送方向が転換された光学フィルム積層体Ｌ２は、フィルム搬送部３４によって、貼合部５０に向けて搬送される。フィルム搬送部３４には、光学フィルム積層体Ｌ２から光学フィルムのシートＳ２を形成するための切込線形成部３５が配置されることが好ましい。
【００２４】
光学フィルムのシートＳ２は、貼合部５０において、パネル部材Ｗの他方の面Ｗ２に貼り合わせされる。光学フィルム積層体Ｌ２は、方向転換部３３によって方向転換された後、貼合部５０に送られ、一方、パネル部材Ｗは、他方の面Ｗ２が上向きの状態で、貼合部５０に送られる。貼合部５０においては、剥離手段５１によって光学フィルム積層体Ｌ２から光学フィルムのシートＳ２が剥離される。剥離されたシートＳ２とパネル部材Ｗとは、貼合ローラ５２を用いて貼り合わせることができる。
【００２５】
上述の貼合装置１は、特許文献１の図２に示される構成の装置であるが、コンパクトＲＴＰ装置の別の構成として、例えば、特許文献１の図１に示されるようにパネル部材搬送ラインの一部が光学フィルム搬送ラインの側方に配置された構成や、図３及び図４に示されるように光学フィルム搬送ラインがパネル部材搬送ラインの下方のみに配置された構成などを有する装置があり得る。本発明は、これらのいずれの構成の貼合装置においても用いることができる。
【００２６】
（第１の実施形態）
上記のとおり、貼合装置１においては、光学フィルム積層体Ｌ１の搬送方向を転換するエアターンバー２３と、光学フィルム積層体Ｌ２の搬送方向を転換するエアターンバー３３とが設けられている。エアターンバー２３、３３において、エアターンバー２３、３３の外周面から噴射された空気が、エアターンバー２３、３３の外周面と、その外周面上で搬送方向が転換されている光学フィルム積層体Ｌ１、Ｌ２との間から流出する。エアターンバー３３の外周面と光学フィルム積層体Ｌ２との間から流出した空気は、その一部がエアターンバー３３の下方に流れ、貼合装置１の内部の気流を乱したり、下方に位置するパネル部材搬送ライン１０上に達したりするおそれがある。また、エアターンバー２３の両端部において外周面と光学フィルム積層体Ｌ１との間から流出した空気についても同様に、貼合装置１の内部の気流を乱すおそれがある。
【００２７】
そこで、本発明においては、貼合装置１に、流出空気がパネル部材搬送ライン１０上に達しないように流出空気の流れを制御する目的で、遮へい部材５と、必要に応じて気流生成部６とが設けられる。ここで、流出空気がパネル部材搬送ライン１０の上に達しないとは、流出空気がパネル部材搬送ライン１０上にまったく達しない場合だけでなく、仮に流出空気がパネル部材搬送ライン１０上に達したとしてもその流出空気を原因としてパネル部材Ｗに悪影響が及ぼされない程度に流出空気の一部が達する場合も含む。
【００２８】
図２は、本発明の一実施形態による遮へい部材５及び気流生成部６の構成とその配置を示す模式図であり、図２（ａ）は遮へい部材５及び気流生成部６が設けられている部分の平面図、図２（ｂ）は図２（ａ）の部分をパネル部材Wの搬送方向下流側からみた正面図、図２（ｃ）は図２（ａ）の部分の側面図である。図２に示される遮へい部材５及び気流生成部６は、エアターンバー３３の外周面と光学フィルム積層体Ｌ２との間から流出した空気の流れを制御するものである。なお、図２（ａ）においては、筐体７の上面（天井）は示していない。また、図２（ｂ）及び図２（ｃ）においては、図面が煩雑にならないように、パネル部材搬送部１４の下方に位置する構成要素は示していない。
【００２９】
遮へい部材５は、エアターンバー３３と、エアターンバー３３の下方に位置するパネル部材搬送部１４との間に配置され、エアターンバー３３からの流出空気がパネル部材搬送部１４の上に達しないように遮蔽するための部材である。遮へい部材５は、四角形の板状体であることが好ましいが、これに限定されるものではない。遮へい部材５の幅（パネル部材Ｗの搬送方向を横切る方向の長さ）は、少なくともパネル部材搬送部１４のパネル部材搬送部分（すなわち、両端部の枠１４２の間においてパネル部材Wを搬送する搬送コロ１４４が配置された部分）の幅全体を覆うことができる幅を有し、パネル部材搬送部１４の幅より広いことがより好ましい。遮へい部材５の長さ（パネル部材Ｗの搬送方向の長さ）は、少なくともエアターンバー３３の前端（パネル部材Ｗの搬送方向最前方に位置する端部）と後端（パネル部材Ｗの搬送方向最後方に位置する端部）との距離より長いことが好ましい。遮へい部材５が配置される高さ方向の位置は、例えばメンテナンス作業時などにパネル部材搬送部１４の上にあるパネル部材Ｗにアクセス可能となる空間が確保されていれば、できるだけパネル部材搬送部１４に近い位置であることが好ましい。なお、遮へい部材５の厚みは、特に限定されるものではない。
【００３０】
遮へい部材５の材質は、特に限定されるものではなく、例えばアルミニムなどの軽量な金属を用いることができる。また、遮へい部材５を適切な位置に固定する方法は、後述される下降気流の流れを妨害したり、パネル部材W及び光学フィルム積層体Ｌ１、Ｌ２の搬送に影響を与えたりするものでない限り特に限定されるものではなく、例えば、パネル部材搬送部１４を支持しているフレームに取り付けたり、パネル部材搬送部１４や床から上方に突出するように設けられた複数の支持部材に取り付けたり、筐体７の天井から吊り下げたりすることによって固定することができる。
【００３１】
気流生成部６は、筐体７の天井から下方に向かう下降気流を生成することができるものであり、貼合装置１の内部に供給される空気を清浄空気にするフィルタを備える吸気手段であることが好ましい。フィルタは、ＨＥＰＡフィルタが好ましいが、これに限定されるものではない。ＨＥＰＡフィルタを備えた吸気手段として、当業者に周知の市販のＨＥＰＡフィルタユニットを用いることができる。気流生成部６は、貼合装置内の空気を吸引して下方に送り出すようになっている送風手段であってもよい。
【００３２】
気流生成部６は、図２に示されるように、パネル部材搬送部１４の幅方向両端部の上方に取り付けられることが好ましい。気流生成部６をこの位置に取り付けることによって、後述されるように、エアターンバー３３からの流出空気が、気流生成部６からの下降気流とともに、遮へい部材５及びパネル部材搬送部１４の幅方向両端部と筐体７との間を通って下方に流れるように制御することができる。なお、気流生成部６のパネル部材搬送方向における位置は、特に限定されるものではないが、図２（ｃ）に示されるように、エアターンバー３３の前端（パネル部材Ｗの搬送方向最前方に位置する端部）と後端（パネル部材Ｗの搬送方向最後方に位置する端部）との間の中央部分であることが好ましい。気流生成部６によって生成される気流の流量は、エアターンバー３３からの流出空気が遮へい部材５及びパネル部材搬送部１４と筐体７との間を通って下方に流れるように制御することができれば、特に限定されるものでなく、例えば２０〜３５ｍ３／分とすることができる。
【００３３】
図３は、図２に対応する部分における空気の流れを矢印で示した模式図である。図３（ａ）は、本発明による遮へい部材５及び気流生成部６がない場合における空気の流れをパネル部材Wの搬送方向下流側からみた正面図であり、図３（ｂ）はその側面図である。図３（ｃ）は、遮へい部材５及び気流生成部６がある場合における空気の流れをパネル部材Wの搬送方向下流側からみた正面図であり、図３（ｂ）はその側面図である。図３に矢印で示される空気の流れは、ＨＥＰＡフィルタユニット９又は気流生成部６の近傍にミスト発生装置（図示せず）を配置し、生成されたミストをＨＥＰＡフィルタユニット９又は気流生成部６を通して筐体７の内部に導入させ、筐体７の内部におけるミストの流れを目視で確認したものである。ミスト発生装置は、当業者に周知の市販の装置を用いることができる。
【００３４】
図３（ａ）及び図３（ｂ）に示されるように、従来の貼合装置においては、ＨＥＰＡフィルタユニット９が筐体７の天井の中央部に設けられており、エアターンバー３３とパネル部材搬送部１４との間には何も設けられていない。このように、本発明による遮へい部材５及び気流生成部６がない場合には、エアターンバー３３からの流出空気は、一部がエアターンバー３３の下方に流れ、パネル部材搬送部１４の上に達する場合がある。パネル部材搬送部１４に達した空気に異物が含まれていると、その異物が、搬送中のパネル部材Wに直接付着したり、パネル部材搬送部１４のコンベアなどの構成部品を介してパネル部材Wに付着したりするおそれがある。また、ＨＥＰＡフィルタユニット９からの空気やエアターンバー３３からの流出空気の一部は、直接的にパネル部材搬送部１４の上に達しない場合でも、貼合装置１内の気流を乱し、異物の巻き上げを引き起こす可能性がある。
【００３５】
これに対して、図３（ｃ）及び図３（ｄ）に示されるように、遮へい部材５及び気流生成部６を用いた場合には、エアターンバー３３からの流出空気は、遮へい部材５の上面に当たり遮へい部材５の外方に向かって流れる。一方、パネル部材搬送部１４の幅方向両端部の上方に取り付けられた気流生成部６から筐体７内に吸引された空気は、エアターンバー３３、遮へい部材５及びパネル部材搬送部１４の各々の幅方向端部と筐体７との間を通って下方に流れ、例えば筐体７の下方又は床に設けられた排気部から排気される。この過程で、気流生成部６からの下降気流が、遮へい部材５の上面に当たって外方に流れた流出空気、及びエアターンバー３３から上方に向かって流れた流出空気を巻き込みながら、下方に向かって流れることになる。したがって、エアターンバー３３からの流出空気は、貼合装置１内の気流を乱して異物の巻き上げを引き起こすことも、パネル部材搬送部１４の上に達することもない。また、遮へい部材５は、エアターンバー３３からの異物がパネル部材搬送部１４の上に落下することも防止できる。
【００３６】
（第２の実施形態）
次に、本発明の別の実施形態を説明する。図４は、遮へい部材８とその配置を示す模式図であり、図４（ａ）は遮へい部材８が設けられている部分の平面図、図４（ｂ）は図４（ａ）の部分をパネル部材Wの搬送方向下流側からみた正面図、図４（ｃ）は図４（ａ）の部分の側面図である。図４に示される遮へい部材８は、エアターンバー２３の外周面と光学フィルム積層体Ｌ１との間から流出した空気の流れを制御するものである。なお、図４（ａ）においては、筐体７の上面（天井）は示していない。また、図４（ｂ）及び図４（ｃ）においては、図面が煩雑にならないように、パネル部材搬送部１６の上方に位置する構成要素は示していない。
【００３７】
遮へい部材８は、エアターンバー２３と、エアターンバー２３の上方に位置するパネル部材搬送部１６との間に配置され、エアターンバー２３からの流出空気が上方に流れないように遮蔽するために用いることができる部材である。なお、図４（ａ）においては、本来は遮へい部材８の上にもパネル部材Wを搬送する搬送コロ１６４が存在するが、ここでは図面が煩雑にならないように遮へい部材８の上の搬送コロ１６４は描かれていない。遮へい部材８は、四角形の板状体であることが好ましいが、これに限定されるものではない。
【００３８】
遮へい部材８の幅（パネル部材Ｗの搬送方向を横切る方向の長さ）は、少なくともパネル部材搬送部１６のパネル部材搬送部分（すなわち、両端部の枠１６２の間においてパネル部材Wを搬送する搬送コロ１６４が配置された部分）の幅全体を覆うことができる幅を有し、パネル部材搬送部１６の幅より広いことがより好ましい。遮へい部材８の長さ（パネル部材Ｗの搬送方向の長さ）は、少なくともエアターンバー２３の前端（パネル部材Ｗの搬送方向最前方に位置する端部）と後端（パネル部材Ｗの搬送方向最後方に位置する端部）との距離より長いことが好ましい。遮へい部材８が配置される高さ方向の位置は、例えばメンテナンス作業時などにエアターンバー２３にアクセス可能となる空間が確保されていれば、できるだけエアターンバー２３に近い位置であることが好ましい。なお、遮へい部材８の厚みは、特に限定されるものではない。
【００３９】
遮へい部材８の材質は、特に限定されるものではなく、例えばアルミニムなどの軽量な金属を用いることができる。また、遮へい部材８を適切な位置に固定する方法は、パネル部材W及び光学フィルム積層体Ｌ１、Ｌ２の搬送に影響を与えるものでない限り特に限定されるものではなく、例えば、パネル部材搬送部１６を支持しているフレームに取り付けたり、パネル部材搬送部１６から吊り下げられた複数の支持部材に取り付けたり、床から立ち上げられた複数の支持部材に取り付けたりすることによって固定することができる。
【００４０】
また、特許文献１の図１、図３及び図４に示されるような構成の貼合装置が用いられる場合においては、エアターンバー２３の上方に、例えば光学フィルム積層体Ｌ２に切込線を形成するための切込線形成装置（例えば、特許文献１の図１に示される装置）などといった様々な機器が配置されることがある。こうした場合には、これらの機器のメンテナンスのためにエアターンバー２３の上方にステージが配置されることがある。このような構成においては、このステージを本発明における遮へい部材８として兼用することも可能である。
【００４１】
図５は、図４に対応する部分におけるエアターンバー２３からの流出空気の流れを矢印で示した模式図である。図５（ａ）は、エアターンバー２３からの流出空気の流れをパネル部材Wの搬送方向下流側からみた正面図であり、図５（ｂ）はその側面図である。図５に矢印で示される空気の流れは、図３の場合と同様に、ＨＥＰＡフィルタユニット９の近傍にミスト発生装置を配置し、生成されたミストをＨＥＰＡフィルタユニット９から筐体７の内部に導入させ、筐体７の内部におけるミストの流れを目視で確認したものである。
【００４２】
図５（ａ）及び図５（ｂ）に示されるように、エアターンバー２３の上に遮へい部材８が配置された場合には、エアターンバー２３からの流出空気は、遮へい部材８の下面に当たって下方に流れる。したがって、エアターンバー２３からの流出空気は、貼合装置１内の気流を乱して異物の巻き上げを引き起こすことがないため、異物のパネル部材Wや光学フィルムへの付着を防止することができる。
【００４３】
（第３の実施形態）
さらに別の実施形態として、パネル部材搬送部がエアターンバーと上下方向に重なる位置に配置されるのではなく、エアターンバーの側方に配置された構成の貼合装置においても、本発明を用いることができる。例えば、必要に応じて、図２における構成要素のうちパネル部材搬送部１４が、同じ高さのままでエアターンバー３３の側方に配置された構成の貼合装置が用いられる場合がある。このような構成の貼合装置の場合には、図２と同様の遮へい部材５が、エアターンバー３３の下方においてパネル部材搬送部１４の高さより高い位置に配置される。さらに、この貼合装置には、エアターンバー３３の幅方向両端部の上方に気流生成部６が取り付けられることが好ましい。
【００４４】
（第４の実施形態）
さらに別の実施形態として、例えば、必要に応じて、図４における構成要素のうちパネル部材搬送部１６が、同じ高さのままでエアターンバー２３の側方に配置された構成の貼合装置が用いられる場合がある。このような構成の貼合装置の場合には、図４と同様の遮へい部材８が、エアターンバー２３の上方においてパネル部材搬送部１６の高さより低い位置に配置される。この構成の貼合装置においても、エアターンバー２３からの流出空気は遮へい部材８の下方に流れるため、貼合装置１内の気流を乱すことがない。
【符号の説明】
【００４５】
Ｗ  パネル部材
Ｗ１  一方の面
Ｗ２  他方の面
Ｌ１、Ｌ２  光学フィルム積層体
Ｒ１、Ｒ１  光学フィルム積層体のロール
１  貼合装置
５、８  遮へい部材
６  気流生成部
７  筐体
９  ＨＥＰＡフィルタユニット（従来技術）
１０  パネル部材搬送ライン
１１  入口部
１２  出口部
１４、１６、１７  パネル部材搬送部
１４２、１６２  パネル部材搬送部の枠部
１４４、１６４  パネル部材搬送部の搬送コロ
１５  旋回部
２０、３０  光学フィルム搬送ライン
２１、３１  フィルム供給部
２２、２４、３２、３４  フィルム搬送部
２３、３３  方向転換部
２５、３５  切込線形成部
４０、５０  貼合部
【図１】
2019214131.tif 000003
【図２】
2019214131.tif 000004
【図３】
2019214131.tif 000005
【図４】
2019214131.tif 000006
【図５】
2019214131.tif 000007
【手続補正書】
【提出日】令和1年10月24日(2019.10.24)
【手続補正１】
【補正対象書類名】特許請求の範囲
【補正対象項目名】請求項７
【補正方法】変更
【補正の内容】
【請求項７】
前記エアターンバーの幅方向外方において上方から下方に向かう下降気流を生成し、該下降気流とともに流出空気が前記パネル部材搬送ラインの幅方向外方を下方に向かって流れるようにするための気流生成部をさらに有する、請求項１、請求項２又は請求項５のいずれか１項に記載の貼合装置。
【手続補正２】
【補正対象書類名】明細書
【補正対象項目名】００１０
【補正方法】変更
【補正の内容】
【００１０】
一実施形態においては、エアターンバーがパネル部材搬送ラインの上方に配置されている場合には、貼合装置は、気流生成部をさらに有することが好ましい。気流生成部は、下降気流を生成することができる。下降気流は、エアターンバーの幅方向外方において上方から下方に向かうようになっており、その下降気流とともに流出空気がパネル部材搬送ラインの幅方向外方を下方に向かって流れる。気流生成部は、一実施形態においては、エアターンバーの幅方向両端部の上方に配置され、貼合装置内部に供給される空気を清浄空気にするフィルタを備える吸気手段とすることができ、別の実施形態においては、エアターンバーの幅方向両端部の上方に配置された送風手段とすることができる。